(57)【要約】【課題】  回転軸と、回転軸により駆動される圧縮機構と、回転軸と圧縮機構とを収容するハウジングと、回転軸のハウジング貫通部を密封する軸封装置とを備える圧縮機であって、回転軸の軸封装置との摺接部に供給される潤滑油が不足する事態の発生が抑制された圧縮機を提供する。【解決手段】  回転軸と、回転軸により駆動される圧縮機構と、回転軸と圧縮機構とを収容するハウジングと、回転軸のハウジング貫通部を密封する軸封装置とを備え、回転軸の軸封装置よりも圧縮機構側で軸封装置に隣接する部位に、潤滑油吸着体が取り付けられている。【選択図】  図１
2007146790.tif 000002
【特許請求の範囲】
【請求項１】
回転軸と、回転軸により駆動される圧縮機構と、回転軸と圧縮機構とを収容するハウジングと、回転軸のハウジング貫通部を密封する軸封装置とを備え、回転軸の軸封装置よりも圧縮機構側で軸封装置に隣接する部位に、潤滑油吸着体が取り付けられていることを特徴とする圧縮機。
【発明の詳細な説明】
【技術分野】
【０００１】
本発明は、回転軸と、回転軸により駆動される圧縮機構と、回転軸と圧縮機構とを収容するハウジングと、回転軸のハウジング貫通部を密封する軸封装置とを備える圧縮機に関するものである。
【背景技術】
【０００２】
回転軸と、回転軸により駆動される圧縮機構と、回転軸と圧縮機構とを収容するハウジングと、回転軸のハウジング貫通部を密封する軸封装置とを備える圧縮機であって、回転軸の軸封装置との摺接部を固体潤滑剤で被覆して、運転動力の低減を図った圧縮機が特許文献１に開示されている。
特許文献１
【特許文献１】特開２００５−１５５５９７
【発明の開示】
【発明が解決しようとする課題】
【０００３】
回転軸の軸封装置との摺接部を固体潤滑剤で被覆しても、前記摺接部に供給される潤滑油が不足すると、回転軸の回転に対する軸封装置の摩擦抵抗が増加して圧縮機の運転動力は増加する。また回転軸の軸封装置との摺接部に供給される潤滑油が不足すると、軸封装置のシール性能が低下する。
本発明は上記問題に鑑みてなされたものであり、回転軸と、回転軸により駆動される圧縮機構と、回転軸と圧縮機構とを収容するハウジングと、回転軸のハウジング貫通部を密封する軸封装置とを備える圧縮機であって、回転軸の軸封装置との摺接部に供給される潤滑油が不足する事態の発生が抑制された圧縮機を提供することを目的とする。
【課題を解決するための手段】
【０００４】
上記課題を解決するために、本発明においては、回転軸と、回転軸により駆動される圧縮機構と、回転軸と圧縮機構とを収容するハウジングと、回転軸のハウジング貫通部を密封する軸封装置とを備え、回転軸の軸封装置よりも圧縮機構側で軸封装置に隣接する部位に、潤滑油吸着体が取り付けられていることを特徴とする圧縮機を提供する。
ハウジング内に貯留された潤滑油は、圧縮機の稼働時に圧縮機構や回転軸を支持する軸受に付着して圧縮機構や軸受の摺動部を潤滑する。圧縮機構や軸受に付着した潤滑油の一部は、回転軸表面に沿って、高圧のハウジング内部から低圧のハウジング外部へ向けて軸封装置側へ流れ、回転軸の軸封装置よりも圧縮機構側で軸封装置に隣接する部位に取り付けられた潤滑油吸着体に吸着され、潤滑油吸着体内に貯留される。潤滑油吸着体内に貯留された潤滑油の一部は、潤滑油吸着体から滲出し、回転軸表面に沿って、低圧のハウジング外部へ向けて流れ、回転軸の軸封装置との摺接部に到達し、該部を潤滑する。潤滑油吸着体は軸封装置に隣接しているので、潤滑油吸着体から滲出した潤滑油は他の部材に吸着されることなく確実に回転軸の軸封装置との摺接部に供給される。
回転軸の軸封装置よりも圧縮機構側で軸封装置に隣接する部位に、潤滑油を貯留する潤滑油吸着体を取り付けたことにより、回転軸の軸封装置との摺接部に供給される潤滑油が不足する事態の発生が抑制される。
【発明の効果】
【０００５】
本発明に係る圧縮機においては、回転軸の軸封装置よりも圧縮機構側で軸封装置に隣接する部位に、潤滑油を貯留する潤滑油吸着体を取り付けることにより、回転軸の軸封装置との摺接部に供給される潤滑油が不足する事態の発生を抑制している。
【発明を実施するための最良の形態】
【０００６】
本発明の実施例に係る圧縮機を説明する。
【実施例１】
【０００７】
図１に示すように、可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係合している。
ピストン１５は、シリンダブロック１６に形成されたボア１６ａに挿入されている。
ローター１１、斜板１２、シュー１４、ピストン１５は、回転軸１０により駆動される圧縮機構を形成している。
回転軸１０、ローター１１、斜板１２を収容するクランク室１７を形成する有底円筒状のフロントハウジング１８が配設されている。回転軸１０は、フロントハウジング１８を貫通して外部へ延びている。回転軸１０のフロントハウジング貫通部を密封するリップシールを有する軸封装置１９が配設されている。
回転軸１０の、軸封装置１９よりも圧縮機構側で軸封装置１９に隣接する部位に、ガラス繊維、ポリエステル繊維等の不織布、ポリプロピレン、ポリエチレン等の樹脂多孔体等の素材を用いて製造した円環状の潤滑油吸着体２０が、外嵌合固定されている。
フロントハウジング１８に取り付けられた電磁クラッチ２１を介して図示しない外部駆動源から回転軸１０の先端部に回転動力が伝達される。
吸入室と吐出室とを形成するシリンダヘッド２２が配設されている。
シリンダブロック１６とシリンダヘッド２２との間にボア１６ａに連通する吸入穴と吐出穴とが形成された弁板２３が配設されている。吸入穴を開閉する吸入弁と吐出穴を開閉する吐出弁とが配設されている。
フロントハウジング１８、シリンダブロック１６、弁板２３、シリンダヘッド２２は、ボルト２４により一体に組み付けられ、圧縮機構を収容するハウジングを形成している。
回転軸１０はフロントハウジング１８、シリンダブロック１６により回転可能に支持されている。
【０００８】
可変容量型斜板式圧縮機Ａにおいては、図示しない外部駆動源の回転動力が電磁クラッチ２１を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２２に形成された吸入ポートと吸入室と吸入穴と吸入弁とを介してボア１６ａへ吸入され、ボア１６ａ内で圧縮され、吐出穴と吐出弁と吐出室とシリンダヘッド２２に形成された吐出ポートとを介して外部冷凍回路へ流出する。
クランク室１７内に貯留された潤滑油が、可変容量型斜板式圧縮機Ａの稼働時に、圧縮機構や回転軸１０を支持する軸受に付着して圧縮機構や軸受の摺動部を潤滑する。圧縮機構や軸受に付着した潤滑油の一部は、回転軸１０の表面に沿って、高圧のクランク室１７から低圧のフロントハウジング１８外部へ向けて軸封装置１９側へ流れ、回転軸１０の軸封装置１９よりも圧縮機構側で軸封装置１９に隣接する部位に取り付けられた潤滑油吸着体２０に吸着され、潤滑油吸着体２０内に貯留される。潤滑油吸着体２０内に貯留された潤滑油の一部は、潤滑油吸着体２０から滲出し、回転軸１０の表面に沿って、低圧のフロントハウジング１８外部へ向けて流れ、回転軸１０の軸封装置１９との摺接部に到達し、該部を潤滑する。潤滑油吸着体２０は軸封装置１９に隣接しているので、潤滑油吸着体２０から滲出した潤滑油は他の部材に吸着されることなく確実に回転軸１０の軸封装置１９との摺接部に供給される。潤滑油吸着体２０内に貯留された潤滑油の他の一部は、回転軸１０が回転する際に発生する遠心力を受けて径方向外方へ飛散し、フロントハウジング１８に形成された回転軸挿通穴の周壁に付着し、当該周壁から軸封装置１９を伝って、回転軸１０の軸封装置１９との摺接部に供給される。
上記説明から分かるように、回転軸１０の軸封装置１９よりも圧縮機構側で軸封装置１９に隣接する部位に、潤滑油を貯留する潤滑油吸着体２０を取り付けたことにより、回転軸１０の軸封装置１９との摺接部に供給される潤滑油が不足する事態の発生が抑制される。
【産業上の利用可能性】
【０００９】
本発明は斜板式圧縮機のみならず、回転軸と、回転軸により駆動される圧縮機構と、回転軸と圧縮機構とを収容するハウジングと、回転軸のハウジング貫通部を密封する軸封装置とを備える圧縮機、例えばスクロール式圧縮機、等にも広く利用可能である。
【図面の簡単な説明】
【００１０】
【図１】本発明の実施例に係る可変容量型斜板式圧縮機の断面図である。
【符号の説明】
【００１１】
Ａ  可変容量型斜板式圧縮機
１０  回転軸
１１  ローター
１２  斜板
１３  リンク機構
１４  シュー
１５  ピストン
１８  フロントハウジング
１９  リップシール
２０  潤滑油吸着体
【図１】
2007146790.tif 000003